(57)【要約】【課題】イヤホン付きの携帯端末を使用中のユーザに、回りの人間、物体の接近を気づかせる。【解決手段】ユーザが携帯電話でイヤホンを使用していて外部の音が遮断されている環境で、音声を発している人や物体が接近してくると、携帯電話に内蔵している感知センサが音声周波数を検知する。このとき、携帯電話は、自動的にイヤホンで聞いている音声のボリュームを制御してフェードアウトさせ（音量を徐々に下げ）、アラーム通知音声をユーザに対して送る。また、携帯電話は、音声周波数の違いでどのような物体が接近してきているのか判定し、携帯電話の画面上にアラームを通知する。また、携帯電話は、ドップラー効果の原理を用いて周波数の変化を検知し、音声周波数が増加する物体にだけアラームを出す。【選択図】図１
2010128789.tif 000002
【特許請求の範囲】
【請求項１】
接近している可能性のある物体に係る波動周波数を検知する検波器と、
前記検波器から、前記波動周波数を受け取り、一定時間の間、前記波動周波数をサンプリングし、前記波動周波数に対応する波動周波数データを払い出すセンサ制御手段と、
前記波動周波数データに応じた物体のプロファイルを管理するプロファイル管理手段と、
前記センサ制御手段から、前記波動周波数データを受け取ると、前記プロファイル管理手段に送出し、ユーザが装着しているイヤホンを介して現在流れている音声があるか確認し、前記現在流れている音声がある場合、前記現在流れている音声をミュート（消音）にするための処理を行い、前記プロファイル管理手段から、前記プロファイルを受け取ると、前記プロファイルに基づいて、前記ユーザに対するアラーム通知処理を行う端末データ処理手段と
を具備する
携帯端末。
【請求項２】
請求項１に記載の携帯端末であって、
前記センサ制御手段は、
前記検波器から、前記波動周波数を受け取る波動周波数データ処理手段と、
前記波動周波数データ処理手段から前記波動周波数を受け取り、一定時間の間、前記波動周波数をサンプリングする波動周波数判定手段と、
前記波動周波数判定手段から、前記波動周波数に対応する波動周波数データを送出するように命令を受けると、前記波動周波数に対応する波動周波数データを前記波動周波数データ処理手段に送出する波動周波数テーブルと
を具備する
携帯端末。
【請求項３】
請求項２に記載の携帯端末であって、
前記波動周波数判定手段は、前記サンプリングされた波動周波数が増加している場合、ドップラー効果の原理により物体が接近していると判断し、公式に基づいて前記サンプリングされた波動周波数に対応する波動周波数データを前記波動周波数データ処理手段に対して払い出すように前記波動周波数テーブルに命令し、前記サンプリングされた波動周波数が増加していない場合、ドップラー効果の原理により物体が接近していないと判断し、波動周波数非送出信号を前記波動周波数データ処理手段に対して送出し、
前記波動周波数データ処理手段は、前記波動周波数テーブルから払い出された波動周波数を前記端末データ処理手段に送出し、前記波動周波数判定手段から波動周波数非送出信号を受け取った場合、前記端末データ処理手段に対する波動周波数データの送出を制限する
携帯端末。
【請求項４】
請求項１乃至３のいずれか一項に記載の携帯端末であって、
前記プロファイル管理手段は、
前記波動周波数データと前記プロファイルとが紐付けされているプロファイルテーブルと、
前記端末データ処理手段から前記波動周波数データを受け取り、前記波動周波数データに基づいて、前記プロファイルテーブルから払い出されたプロファイルを前記端末データ処理手段に送出し、前記波動周波数データに該当するプロファイルが存在せず、非該当信号を受け取った場合、前記端末データ処理手段に対するプロファイルの送出を制限するプロファイル管理データ処理手段と、
前記プロファイル管理データ処理手段から、前記波動周波数データを受け取り、前記プロファイルテーブル内に、前記波動周波数データに該当するプロファイルがないか探索し、前記該当するプロファイルがあった場合、前記該当するプロファイルを前記プロファイル管理データ処理手段に送出し、前記該当するプロファイルがない場合、前記非該当信号を前記プロファイル管理データ処理手段に送出するプロファイル判定手段と
を具備する
携帯端末。
【請求項５】
請求項１乃至４のいずれか一項に記載の携帯端末であって、
前記現在流れている音声を制御し、前記端末データ処理手段から前記現在流れている音声を停止する旨の指令を受けると、前記現在流れている音声をフェードアウトさせ、前記端末データ処理手段から前記プロファイルを受け取ると、前記プロファイルに対応したアラーム音声を、前記端末データ処理手段に送出する端末音声制御手段と、
前記端末データ処理手段から前記プロファイルを受け取ると、前記プロファイルに対応したアラーム表示をディスプレイ上に表示し、前記端末データ処理手段から前記アラーム音声を受け取ると、前記イヤホンから前記アラーム音声を鳴動させるユーザインタフェース制御手段と
を更に具備する
携帯端末。
【請求項６】
請求項１乃至５のいずれか一項に記載の携帯端末であって、
近距離通信回線を介して、他の携帯端末から前記プロファイルを受け取った場合、前記プロファイルを前記端末データ処理手段に送出し、前記ユーザが前記他の携帯端末のイヤホンを介して前記現在流れている音声を視聴している場合、前記端末データ処理手段から前記プロファイルを受け取り、前記近距離通信回線を介して、前記プロファイルを前記他の携帯端末に送出する近距離通信手段
を更に具備する
携帯端末。
【請求項７】
請求項１乃至６のいずれか一項に記載の携帯端末であって、
前記検波器は、前記物体が発する音、光、及び電磁波の周波数と、前記物体に対する音、光、及び電磁波の反射周波数とのうち、少なくとも１つの周波数を、前記波動周波数として検知する
携帯端末。
【請求項８】
携帯端末により実施されるアラーム通知方法であって、
接近している可能性のある物体に係る波動周波数を検知するステップと、
一定時間の間、前記波動周波数をサンプリングし、前記波動周波数に対応する波動周波数データを払い出すステップと、
前記波動周波数データを受け取ると、ユーザが装着しているイヤホンを介して現在流れている音声があるか確認し、前記現在流れている音声がある場合、前記現在流れている音声をミュート（消音）にするための処理を行うステップと、
前記波動周波数データを受け取ると、前記波動周波数データに応じた物体のプロファイルを払い出すステップと、
前記プロファイルを受け取ると、前記プロファイルに基づいて、前記ユーザに対するアラーム通知処理を行うステップと
を含む
アラーム通知方法。
【請求項９】
請求項８に記載のアラーム通知方法であって、
前記サンプリングされた波動周波数が増加している場合、ドップラー効果の原理により物体が接近していると判断し、公式に基づいて前記サンプリングされた波動周波数に対応する波動周波数データを波動周波数テーブルから払い出すステップと、
前記サンプリングされた波動周波数が増加していない場合、ドップラー効果の原理により物体が接近していないと判断し、波動周波数非送出信号を発生し、前記波動周波数データの送出を制限するステップと
を更に含む
アラーム通知方法。
【請求項１０】
請求項８又は９に記載のアラーム通知方法であって、
前記波動周波数データと前記プロファイルとが紐付けされているプロファイルテーブルを参照するステップと、
前記波動周波数データを受け取り、前記プロファイルテーブル内に、前記波動周波数データに該当するプロファイルがないか探索するステップと、
前記該当するプロファイルがあった場合、前記プロファイルテーブルから前記波動周波数データに該当するプロファイルを払い出すステップと、
前記該当するプロファイルがない場合、非該当信号を発生し、プロファイルの送出を制限するステップと
を更に含む
アラーム通知方法。
【請求項１１】
請求項８乃至１０のいずれか一項に記載のアラーム通知方法であって、
前記現在流れている音声を制御し、前記現在流れている音声を停止する旨の指令を受けると、前記現在流れている音声をフェードアウトさせるステップと、
前記プロファイルを受け取ると、前記プロファイルに対応したアラーム表示をディスプレイ上に表示するステップと、
前記プロファイルを受け取ると、前記イヤホンから、前記プロファイルに対応したアラーム音声を鳴動させるステップと
を更に含む
アラーム通知方法。
【請求項１２】
請求項８乃至１１のいずれか一項に記載のアラーム通知方法であって、
近距離通信回線を介して、他の携帯端末から前記プロファイルを受け取った場合、前記受け取ったプロファイルに基づいて、前記ユーザに対するアラーム通知処理を行うステップと、
前記ユーザが前記他の携帯端末のイヤホンを介して前記現在流れている音声を視聴している場合、前記近距離通信回線を介して、前記プロファイルを前記他の携帯端末に送出するステップと
を更に含む
アラーム通知方法。
【請求項１３】
請求項８乃至１２のいずれか一項に記載のアラーム通知方法であって、
前記波動周波数は、前記物体が発する音、光、及び電磁波の周波数と、前記物体に対する音、光、及び電磁波の反射周波数とのうち、少なくとも１つの周波数である
アラーム通知方法。
【請求項１４】
接近している可能性のある物体に係る波動周波数を検知するステップと、
一定時間の間、前記波動周波数をサンプリングし、前記波動周波数に対応する波動周波数データを払い出すステップと、
前記波動周波数データを受け取ると、ユーザが装着しているイヤホンを介して現在流れている音声があるか確認し、前記現在流れている音声がある場合、前記現在流れている音声をミュート（消音）にするための処理を行うステップと、
前記波動周波数データを受け取ると、前記波動周波数データに応じた物体のプロファイルを払い出すステップと、
前記プロファイルを受け取ると、前記プロファイルに基づいて、前記ユーザに対するアラーム通知処理を行うステップと
を携帯端末に実行させるための
プログラム。
【請求項１５】
請求項１４に記載のプログラムであって、
前記サンプリングされた波動周波数が増加している場合、ドップラー効果の原理により物体が接近していると判断し、公式に基づいて前記サンプリングされた波動周波数に対応する波動周波数データを波動周波数テーブルから払い出すステップと、
前記サンプリングされた波動周波数が増加していない場合、ドップラー効果の原理により物体が接近していないと判断し、波動周波数非送出信号を発生し、前記波動周波数データの送出を制限するステップと
を更に携帯端末に実行させるための
プログラム。
【請求項１６】
請求項１４又は１５に記載のプログラムであって、
前記波動周波数データと前記プロファイルとが紐付けされているプロファイルテーブルを参照するステップと、
前記波動周波数データを受け取り、前記プロファイルテーブル内に、前記波動周波数データに該当するプロファイルがないか探索するステップと、
前記該当するプロファイルがあった場合、前記プロファイルテーブルから前記波動周波数データに該当するプロファイルを払い出すステップと、
前記該当するプロファイルがない場合、非該当信号を発生し、プロファイルの送出を制限するステップと
を更に携帯端末に実行させるための
プログラム。
【請求項１７】
請求項１４乃至１６のいずれか一項に記載のプログラムであって、
前記現在流れている音声を制御し、前記現在流れている音声を停止する旨の指令を受けると、前記現在流れている音声をフェードアウトさせるステップと、
前記プロファイルを受け取ると、前記プロファイルに対応したアラーム表示をディスプレイ上に表示するステップと、
前記プロファイルを受け取ると、前記イヤホンから、前記プロファイルに対応したアラーム音声を鳴動させるステップと
を更に携帯端末に実行させるための
プログラム。
【請求項１８】
請求項１４乃至１７のいずれか一項に記載のプログラムであって、
近距離通信回線を介して、他の携帯端末から前記プロファイルを受け取った場合、前記受け取ったプロファイルに基づいて、前記ユーザに対するアラーム通知処理を行うステップと、
前記ユーザが前記他の携帯端末のイヤホンを介して前記現在流れている音声を視聴している場合、前記近距離通信回線を介して、前記プロファイルを前記他の携帯端末に送出するステップと
を更に携帯端末に実行させるための
プログラム。
【請求項１９】
請求項１４乃至１８のいずれか一項に記載のプログラムであって、
前記波動周波数は、前記物体が発する音、光、及び電磁波の周波数と、前記物体に対する音、光、及び電磁波の反射周波数とのうち、少なくとも１つの周波数である
プログラム。
【発明の詳細な説明】
【技術分野】
【０００１】
本発明は、携帯端末に関し、特にアラーム（警報、警告）通知を行う携帯端末に関する。
【背景技術】
【０００２】
昨今、街中で、イヤホンを装着して音声や音楽を聴きながら、当該イヤホン付の携帯電話機を操作しつつ歩いているユーザが急増している。
【０００３】
しかし、ユーザ（利用者）は、イヤホンを装着して携帯電話機を操作しながら歩いていると、近くに自動車などの危険物が接近しても気付かないことが多く、危険物が接近した場合、重大な事故に繋がる恐れがある。また、治安の悪化により、夜間における不審者の襲撃も多発している。
【０００４】
このような状況に対し、今まで、事故や事件が「発生した時」のアラーム（警報、警告）通知を備えた携帯電話機はあったが、「事前」の防止につながるアラーム通知を備えた携帯電話機は存在していない。
【０００５】
また、従来、イヤホンを用いて音声や音楽を聴きながら、携帯電話機を操作しているユーザは、外部から音声が遮断されているので、周囲の人間、物体の接近を気付かせる手段としては、バイブでの鳴動やＬＥＤ（発光ダイオード）での光の点滅などの手段に限られていた。
【０００６】
しかし、これらの手段は、携帯端末に意識を集中させているユーザに対して瞬時に気付かせることはできなかった。その結果、自動車などの移動体との接触事故や、不審者の襲撃などが頻発して安全を脅かされる事態になっている。
【０００７】
なお、関連する技術として、特開平０７−０６９１３２号公報（特許文献１）に車両用音声報知装置が開示されている。
この関連技術では、集音装置の入力アンプで増幅された環境音の電気信号は、音声認識装置の弁別部で前記登録データと対比され、人声と車両騒音だけが抽出される。この抽出された車両騒音について音圧レベルから車両の距離計算がシミュレーションのもとに行われ、また、一定の時間差をおいてサンプリングされた車両騒音の音圧レベルと比較することによって、歩行者等や他車両が接近して来るのか遠ざかって行くのかが判定される。歩行者や他車両が接近して来る場合には、システムコントローラは音声情報変換装置で得られた所定の音声情報を、スピーカーで構成される出力装置によって運転者に報知し、運転者の注意を喚起したり、具体的な運転指示を与える。
【０００８】
【特許文献１】特開平０７−０６９１３２号公報
【発明の開示】
【発明が解決しようとする課題】
【０００９】
本発明の目的は、アラーム（警報）通知の手段に対する解決策として、音声授受システムや音声再生システムに、外部からの音声検知機能を付加した携帯端末を提供することである。
【００１０】
例えば、ユーザが能動的に行っている音楽視聴や画面を眺めるという行為に対して、音声のフェードアウト（音量を徐々に下げること）や画面上のアラーム通知などの変化を与えることで、異変を容易に気付かせることができると考えられる。
【課題を解決するための手段】
【００１１】
本発明の携帯端末は、接近している可能性のある物体に係る波動周波数を検知する検波器と、検波器から、波動周波数を受け取り、一定時間の間、波動周波数をサンプリングし、波動周波数に対応する波動周波数データを払い出すセンサ制御手段と、波動周波数データに応じた物体のプロファイルを管理するプロファイル管理手段と、センサ制御手段から、波動周波数データを受け取ると、プロファイル管理手段に送出し、ユーザが装着しているイヤホンを介して現在流れている音声があるか確認し、現在流れている音声がある場合、現在流れている音声をミュート（消音）にするための処理を行い、プロファイル管理手段から、プロファイルを受け取ると、プロファイルに基づいて、ユーザに対するアラーム通知処理を行う端末データ処理手段とを具備する。
【００１２】
本発明のアラーム通知方法は、携帯端末により実施されるアラーム通知方法であって、接近している可能性のある物体に係る波動周波数を検知するステップと、一定時間の間、波動周波数をサンプリングし、波動周波数に対応する波動周波数データを払い出すステップと、波動周波数データを受け取ると、ユーザが装着しているイヤホンを介して現在流れている音声があるか確認し、現在流れている音声がある場合、現在流れている音声をミュート（消音）にするための処理を行うステップと、波動周波数データを受け取ると、波動周波数データに応じた物体のプロファイルを払い出すステップと、プロファイルを受け取ると、プロファイルに基づいて、ユーザに対するアラーム通知処理を行うステップとを含む。
【００１３】
本発明のプログラムは、接近している可能性のある物体に係る波動周波数を検知するステップと、一定時間の間、波動周波数をサンプリングし、波動周波数に対応する波動周波数データを払い出すステップと、波動周波数データを受け取ると、ユーザが装着しているイヤホンを介して現在流れている音声があるか確認し、現在流れている音声がある場合、現在流れている音声をミュート（消音）にするための処理を行うステップと、波動周波数データを受け取ると、波動周波数データに応じた物体のプロファイルを払い出すステップと、プロファイルを受け取ると、プロファイルに基づいて、ユーザに対するアラーム通知処理を行うステップとを携帯端末に実行させるためのプログラムである。
【００１４】
ここでは、波動周波数の例として、物体が発する音、光、及び電磁波の周波数や、物体に対する音、光、及び電磁波の反射周波数のうち、少なくとも１つの周波数を想定している。なお、音声、光、及び電磁波の反射周波数とは、携帯端末が発した音、光、及び電磁波が、物体に反射して返ってきた際の周波数を示す。但し、実際には、これらの例に限定されない。
【発明の効果】
【００１５】
ユーザが外部音響から遮断されている環境でも、ユーザに対して、危険物の接近を早期に通知することができる。
【発明を実施するための最良の形態】
【００１６】
以下に、本発明の第１実施形態について添付図面を参照して説明する。
本実施形態では、携帯端末でイヤホンを使用して音楽を視聴している際に、物体が発する音声を検知して、物体が接近している可能性を判断する。
【００１７】
図１に示すように、本発明の携帯端末１０は、音声センサ１１と、ディスプレイ１２と、イヤホンレシーバ１３と、センサ制御部１４と、ユーザインタフェース部１５と、プロファイル管理部１６と、端末データ処理部１７と、端末音声制御部１８を備える。
【００１８】
携帯端末１０は、ユーザ（利用者）が使用する携帯端末であり、外部Ｉ／Ｆ（ｉｎｔｅｒｆａｃｅ：インタフェース）としてイヤホンが接続可能である。携帯端末１０の例として、携帯電話機、モバイルノートＰＣ（パソコン）、携帯音楽プレーヤー、携帯ゲーム機、カーナビ（カーナビゲーションシステム）、又は同様の携帯型の電子機器等が考えられる。但し、実際には、これらの例に限定されない。
【００１９】
音声センサ１１は、物体（接近物）の発する音響や音声を認識する音声感知センサ等の検波器である。音声センサ１１は、認識された物体の音声周波数をセンサ制御部１４に送出する。なお、音声センサ１１の代わりに、マイクや振動センサを用いることも考えられる。ここでは、物体は、音声センサ１１により検出された物体であり、接近している可能性のある物体を示す。
【００２０】
ディスプレイ１２は、文字や図形を表示する装置である。ディスプレイ１２は、モニタとも呼ばれる。ディスプレイ１２は、ユーザインタフェース部１５から受け取ったアラーム（警報）画面の情報に基づいて、メッセージ等を表示する。ディスプレイ１２の例として、ＬＣＤ（液晶ディスプレイ）やＰＤＰ（プラズマディスプレイ）、有機ＥＬディスプレイ（ｏｒｇａｎｉｃ  ｅｌｅｃｔｒｏｌｕｍｉｎｅｓｃｅｎｃｅ  ｄｉｓｐｌａｙ）等の表示装置が考えられる。或いは、ディスプレイ１２は、外部の表示装置に情報を出力するためのインタフェースでも良い。すなわち、ディスプレイ１２は、何らかの出力装置であれば良い。但し、実際には、これらの例に限定されない。
【００２１】
イヤホンレシーバ１３は、イヤホンと接続し、ユーザインタフェース部１５からアラーム音声を受け取り、イヤホンからアラーム音声を鳴動させる。イヤホンレシーバ１３の例として、アダプタ、スピーカー端子、その他の接続口（コネクタ）等が考えられる。イヤホンは、ヘッドホンでも良い。なお、イヤホンレシーバ１３とイヤホンとの通信回線は、有線／無線を問わない。また、イヤホンレシーバ１３とイヤホンは、一体化していても良い。
【００２２】
センサ制御部１４は、音声センサ１１から受け取った物体の音声周波数を一定の時間、サンプリングする。センサ制御部１４は、音声周波数が増加していく場合には、物体が接近していると判断し、端末データ処理部１７に、音声周波数に対応する音声周波数データを送出する。センサ制御部１４は、音声周波数が一定（不変）の場合には、物体が静止していると判断し、音声周波数データを廃棄する。センサ制御部１４は、音声周波数が減少していく場合には、物体が遠ざかっていると判断し、音声周波数データを廃棄する。すなわち、センサ制御部１４は、音声周波数が増加してない場合には、物体が接近していないと判断し、対外的には、端末データ処理部１７に対する音声周波数データの送出を制限する形になる。また、センサ制御部１４は、音声周波数の増加量に応じて、フィルタリングする。すなわち、センサ制御部１４は、接近する物体の速度に応じて、音声周波数データを端末データ処理部１７に送出するか判断する。
【００２３】
ユーザインタフェース部１５は、端末データ処理部１７からアラーム画面の情報を受け取ると、受け取った情報に基づいて、ディスプレイ１２上に「〜のようなものが接近してきています。注意しましょう。」という旨のメッセージを表示する。また、ユーザインタフェース部１５は、端末データ処理部１７からアラーム音声を受け取り、イヤホンレシーバ１３を介してイヤホンからアラーム音声を鳴動させる。
【００２４】
プロファイル管理部１６は、音声周波数データに応じた物体のプロファイルを管理する。例えば、プロファイル管理部１６は、車やバイク等のエンジン音や、動物の鳴き声、靴音（足音）等、それぞれ物体が発する音声や音響を周波数毎に管理し、音声周波数と物体の属性とを紐付け（関連付け）して格納する。また、プロファイル管理部１６は、端末データ処理部１７から、音声周波数データを受け取り、音声周波数データに応じたアラーム表示プロファイルやアラーム音声プロファイルを、端末データ処理部１７に送出する。
【００２５】
端末データ処理部１７は、センサ制御部１４から、音声周波数データを受け取ると、プロファイル管理部１６に送出する。また、端末データ処理部１７は、音声周波数データを受け取ると、現在流れている音楽（音声）があるか確認し、現在流れている音楽がある場合、端末音声制御部１８に対して、ミュート（消音）にする命令を送出する。更に、端末データ処理部１７は、プロファイル管理部１６からアラーム表示プロファイルを受け取ると、ユーザインタフェース部１５に送出する。また、端末データ処理部１７は、プロファイル管理部１６からアラーム音声プロファイルを受け取ると、端末音声制御部１８に送出する。そして、端末データ処理部１７は、端末音声制御部１８からアラーム音声を受けると、ユーザインタフェース部１５にアラーム音声を送出する。
【００２６】
端末音声制御部１８は、音楽やアラーム音声の出力制御を行う。端末音声制御部１８は、端末データ処理部１７から現在流れている音楽を停止する旨の指令を受けると、音楽をミュート（消音）にする。このとき、端末音声制御部１８は、音楽をフェードアウトさせる（音量を徐々に下げる）ようにしても良い。また、端末音声制御部１８は、端末データ処理部１７からアラーム音声プロファイルを受け取ると、アラーム音声プロファイルに対応したアラーム音声を、端末データ処理部１７に送出する。すなわち、端末音声制御部１８は、アラーム音声プロファイルに応じて、最終的に、イヤホンからアラーム音声を鳴動させる。
【００２７】
図２を参照して、センサ制御部１４の基本構成について説明する。
センサ制御部１４は、音声周波数データ処理部１４１と、音声周波数判定部１４２と、音声周波数テーブル１４３を備える。
【００２８】
音声周波数データ処理部１４１は、音声センサ１１から受け取った音声周波数を音声周波数判定部１４２に送出する。また、音声周波数データ処理部１４１は、音声周波数テーブル１４３から払い出された音声周波数を端末データ処理部１７に送出する。更に、音声周波数データ処理部１４１は、音声周波数判定部１４２から音声周波数非送出信号を受け取った場合、端末データ処理部１７に何も送出しない。
【００２９】
音声周波数判定部１４２は、音声周波数データ処理部１４１から音声周波数を受け取り、一定時間の間、音声周波数をサンプリングする。音声周波数判定部１４２は、サンプリングされた音声周波数が増加している場合、ドップラー効果の原理により物体が接近していると判断し、公式に基づき、物体が発している音声周波数に対応する音声周波数データを払い出すように、音声周波数テーブル１４３に命令する。また、音声周波数判定部１４２は、サンプリングされた音声周波数が一定（不変）の場合、ドップラー効果の原理により物体は静止していると判断し、音声周波数非送出信号を音声周波数データ処理部１４１に対して送出する。また、音声周波数判定部１４２は、サンプリングされた音声周波数が減少している場合、ドップラー効果の原理により物体は遠ざかっていると判断し、音声周波数非送出信号を音声周波数データ処理部１４１に対して送出する。すなわち、音声周波数判定部１４２は、音声周波数が増加してない場合には、物体が接近していないと判断し、音声周波数非送出信号を音声周波数データ処理部１４１に対して送出する。この理由は、静止している物体、又は遠ざかっていく物体は危険度が低いと考えられ、ユーザに対して頻繁なアラーム通知の煩わしさを軽減するためである。また、音声周波数判定部１４２は、サンプリング時間の調節や周波数帯域のフィルタリングを行う機能も有しており、特定の音声を発生する物体だけを判定することも可能である。これにより、本当に危険な物体が接近してきた場合にだけアラームを出し、後は、快適に音楽を視聴するようなシステムを構築することが可能となる。
【００３０】
音声周波数テーブル１４３は、音声周波数判定部１４２から、音声周波数に対応する音声周波数データを送出するように命令を受けると、音声周波数に対応する音声周波数データを音声周波数データ処理部１４１に送出する。このとき、音声周波数テーブル１４３では、音声周波数の波形等の特徴に基づいて、音声周波数と音声周波数データとが紐付け（関連付け）されている。音声周波数データは、ある特徴的な音声周波数を示すデータである。例えば、音声周波数テーブル１４３は、受け取った音声周波数の特徴が、所定の音声周波数データにより示される音声周波数の特徴と一致／類似していれば、これらの音声周波数と音声周波数データとが対応するものであると判定し、音声周波数に対応する音声周波数データを特定することができる。
【００３１】
なお、実際には、音声周波数テーブル１４３は、音声周波数判定部１４２に含まれていても良い。すなわち、音声周波数判定部１４２と音声周波数テーブル１４３は、一体化することができる。また、音声周波数テーブル１４３は、存在しなくても良い。例えば、音声周波数判定部１４２は、サンプリングされた音声周波数を平均化し、平均化された音声周波数を音声周波数データとして、音声周波数データ処理部１４１に対して送出するようにしても良い。
【００３２】
図３を参照して、プロファイル管理部１６の基本構成について説明する。
プロファイル管理部１６は、プロファイル管理データ処理部１６１と、プロファイル判定部１６２と、プロファイルテーブル１６３を備える。
【００３３】
プロファイル管理データ処理部１６１は、端末データ処理部１７から受け取った音声周波数データをプロファイル判定部１６２に送出する。また、プロファイル管理データ処理部１６１は、プロファイルテーブル１６３から払い出されたプロファイルを端末データ処理部１７に送出する。更に、プロファイル判定部１６２から非該当信号を受け取った場合、端末データ処理部１７に何も送出しない。
【００３４】
プロファイル判定部１６２は、プロファイル管理データ処理部１６１から音声周波数データを受け取り、プロファイルテーブル１６３内に、音声周波数データに該当（対応）するアラーム表示プロファイル及びアラーム音声プロファイルがないか探索する。また、プロファイル判定部１６２は、プロファイルテーブル１６３内に、音声周波数データに該当するアラーム表示プロファイル及びアラーム音声プロファイルがあった場合、当該アラーム表示プロファイル及びアラーム音声プロファイルを送出するようにプロファイルテーブル１６３に対して命令する。また、プロファイル判定部１６２は、プロファイルテーブル１６３内に、音声周波数データに該当するアラーム表示プロファイル及びアラーム音声プロファイルがない場合、非該当信号をプロファイル管理データ処理部１６１に送出する。
【００３５】
プロファイルテーブル１６３は、プロファイル判定部１６２から、音声周波数データに該当するアラーム表示プロファイル及びアラーム音声プロファイルを送出するように命令を受けると、当該アラーム表示プロファイル及びアラーム音声プロファイルをプロファイル管理データ処理部１６１に送出する。
【００３６】
なお、実際には、プロファイルテーブル１６３は、プロファイル判定部１６２に含まれていても良い。すなわち、プロファイル判定部１６２とプロファイルテーブル１６３は、一体化することができる。
【００３７】
図４を参照して、プロファイルテーブル１６３の構成について説明する。
プロファイルテーブル１６３内部のフィールド内には、音声周波数帯域、アラーム表示、アラーム音声等の項目が存在し、各周波数帯域に対して一義に決まっている。例えば、音声周波数帯域がＰ１〜Ｐ２の範囲ならば、アラーム表示ＤＡとアラーム音声ＳＡが紐付け（関連付け）される。また、音声周波数帯域がＰ２〜Ｐ３の周波数帯域ならば、アラーム表示ＤＢとアラーム音声ＳＢが紐付け（関連付け）される。ここでは、「音声周波数帯域」は、音声周波数データを示す。また、「アラーム表示」は、アラーム表示プロファイルを示す。また、「アラーム音声」は、アラーム音声プロファイルを示す。
【００３８】
図５Ａ、図５Ｂを参照して、ユーザが本発明の携帯端末１０を用いてイヤホン及びディスプレイ１２上から物体に対するアラーム通知を受け取る際の動作の流れを説明する。
【００３９】
まず、アラーム表示と音声がディスプレイ１２とイヤホンレシーバ１３を通じてユーザに通知される場合について説明する。
【００４０】
（１）ステップＫ１０１
携帯端末１０は、初期状態にいる。このとき、ユーザは、携帯端末１０にイヤホンを接続して音楽を視聴しながら画面を操作している。
【００４１】
（２）ステップＫ１０２
携帯端末１０の音声センサ１１は、物体が音声を発しながら接近してきた場合、その物体の音声周波数を検知してセンサ制御部１４に送出する。
【００４２】
（３）ステップＫ１０３
ここで、センサ制御部１４は、音声周波数のサンプリング及びフィルタリングを実施して、物体がどのような種類の周波数を発しているのか判断する。
【００４３】
（４）ステップＫ１０４
もし、音声周波数が増加していると判断した場合、センサ制御部１４は、音声周波数に対応する音声周波数データを端末データ処理部１７に送出する。
【００４４】
（５）ステップＫ１０５
次に、端末データ処理部１７は、音声周波数データを受け取ると、端末音声制御部１８に音声鳴動中止の信号を送出する。
【００４５】
（６）ステップＫ１０６
端末音声制御部１８は、音声鳴動中止の信号を端末データ処理部１７から受け取ると、鳴動していた音楽を中止させる。
【００４６】
（７）ステップＫ１０７
一方で、端末データ処理部１７は、音声周波数データをプロファイル管理部１６に送出する。
【００４７】
（８）ステップＫ１０８
ここで、プロファイル管理部１６は、アラーム表示及び音声と、音声周波数データのマッチング（有無判定）を実施する。すなわち、プロファイル管理部１６は、音声周波数データに該当するアラーム表示プロファイル及びアラーム音声プロファイルが存在するか確認する。
【００４８】
（９）ステップＫ１０９
プロファイル管理部１６は、音声周波数データに該当するアラーム表示プロファイルが存在する場合、対応したアラーム表示プロファイルを端末データ処理部１７に送出する。
【００４９】
（１０）ステップＫ１１０
同時に、プロファイル管理部１６は、音声周波数データに該当するアラーム音声プロファイルが存在する場合、対応したアラーム音声プロファイルを端末データ処理部１７に送出する。
【００５０】
（１１）ステップＫ１１１
次に、端末データ処理部１７は、受け取ったアラーム表示プロファイルをユーザインタフェース部１５に送出する。
【００５１】
（１２）ステップＫ１１２
また、端末データ処理部１７は、受け取ったアラーム音声プロファイルを端末音声制御部１８に送出する。
【００５２】
（１３）ステップＫ１１３
ユーザインタフェース部１５は、受け取ったアラーム表示プロファイルに応じて、ディスプレイ１２の画面上にアラーム画像（動画）を表示する。
【００５３】
（１４）ステップＫ１１４
また、端末音声制御部１８は、受け取ったアラーム音声プロファイルに応じて、アラーム音声を鳴動させる。例えば、端末音声制御部１８は、アラーム音声プロファイルに応じたアラーム音声をユーザインタフェース部１５に送出する。ユーザインタフェース部１５は、イヤホンを介して、アラーム音声を鳴動させる。
【００５４】
（１５）ステップＫ１１５
ユーザの装着しているイヤホンからは、視聴していた音楽がフェードアウトする（音量を徐々に下げる）とともに、アラーム音声が鳴動する。また、ユーザが操作していたディスプレイ１２の画面上には、アラーム画像（静止画、動画等）が表示される。このとき、ユーザインタフェース部１５は、アラーム画像（動画）の表示と、アラーム音声の出力を、同期させると好適である。例えば、ユーザインタフェース部１５は、アラーム画像（動画）のデータとアラーム音声のデータが両方ともそろった場合に、同時に出力する。
【００５５】
次に、アラーム表示と音声がディスプレイ１２とイヤホンレシーバ１３を通じてユーザに通知されない場合について説明する。ここでは、以下のケース１とケース２に分けて説明する。
【００５６】
＜ケース１＞
（１）ステップＫ１０１
ユーザは、初期状態にいる。このとき、ユーザはイヤホンを接続して音楽を視聴しながら画面を操作している。
【００５７】
（２）ステップＫ１０２
携帯端末１０の音声センサ１１は、物体が音声を発しながら接近してきた場合、その物体の音声周波数を検知してセンサ制御部１４に送出する。
【００５８】
（３）ステップＫ１０３
ここで、センサ制御部１４は、音声周波数のサンプリングを実施して物体がどのような種類の周波数を発しているのか判断する。
【００５９】
（４）ステップＫ１１６
センサ制御部１４は、音声周波数が取得できない場合、或いは、音声周波数が変化していない（不変）と判断した場合、及び、音声周波数が減少していると判断した場合、音声周波数に対応する音声周波数データを端末データ処理部１７に送出しない。すなわち、センサ制御部１４は、音声周波数が取得できない場合、或いは、音声周波数が変化していない（不変）と判断した場合、及び、音声周波数が減少していると判断した場合、対外的には、端末データ処理部１７に対する音声周波数データの送出を制限する形になる。
【００６０】
（５）ステップＫ１１８
結果的に、ユーザは、携帯端末１０で音楽を視聴し、画面を操作する行為を継続することになる。すなわち、携帯端末１０は、現状の動作を継続する。
【００６１】
＜ケース２＞
（１）ステップＫ１０１
ユーザは、初期状態にいる。このとき、ユーザはイヤホンを接続して音楽を視聴しながら画面を操作している。
【００６２】
（２）ステップＫ１０２
携帯端末１０の音声センサ１１は、物体が音声を発しながら接近してきた場合、その物体の音声周波数を検知してセンサ制御部１４に送出する。
【００６３】
（３）ステップＫ１０３
ここで、センサ制御部１４は、音声周波数のサンプリングを実施して物体がどのような種類の周波数を発しているのか判断する。
【００６４】
（４）ステップＫ１０４
もし、音声周波数が増加していると判断した場合、センサ制御部１４は、音声周波数データを端末データ処理部１７に送出する。
【００６５】
（５）ステップＫ１０５
次に、端末データ処理部１７は、音声周波数データを受け取ると、端末音声制御部１８に音声鳴動中止の信号を送出する。
【００６６】
（６）ステップＫ１０６
端末音声制御部１８は、音声鳴動中止の信号を端末データ処理部１７から受け取ると、鳴動していた音楽を中止させる。
【００６７】
（７）ステップＫ１０７
一方で、端末データ処理部１７は、音声周波数データをプロファイル管理部１６に送出する。
【００６８】
（８）ステップＫ１０８
ここで、プロファイル管理部１６は、アラーム表示及び音声と、音声周波数データのマッチング（有無判定）を実施する。
【００６９】
（９）ステップＫ１１７
プロファイル管理部１６は、該当するデータがない場合、端末データ処理部１７にアラーム表示プロファイルとアラーム音声プロファイルを送出しない。すなわち、プロファイル管理部１６は、該当するデータがない場合、対外的には、端末データ処理部１７に対するアラーム表示プロファイルとアラーム音声プロファイルの送出を制限する形になる。
【００７０】
（１０）ステップＫ１１８
結果的に、ユーザは、携帯端末１０で音楽を視聴し、画面を操作する行為を継続することになる。すなわち、携帯端末１０は、現状の動作を継続する。
【００７１】
図６を参照して、センサ制御部１４内での音声周波数判定の動作について説明する。
【００７２】
（１）ステップＳ１０１
センサ制御部１４は、初期状態にいる。このとき、センサ制御部１４は、音声センサ１１から対象物が発する音声周波数を取得する。
【００７３】
（２）ステップＳ１０２
次に、音声周波数データ処理部１４１は、音声周波数データを音声周波数判定部１４２に送出する。
【００７４】
（３）ステップＳ１０３
音声周波数判定部１４２は、音声周波数のサンプリングを一定時間実施する。
【００７５】
（４）ステップＳ１０４
ここで、音声周波数判定部１４２は、音声周波数のフィルタリングを実施して、物体がどのような種類の周波数を発しているのか判断する。
【００７６】
（５）ステップＳ１０５
音声周波数判定部１４２は、音声周波数が増加していると判断した場合、音声周波数に対応する音声周波数データを音声周波数データ処理部１４１に送出する。すなわち、音声周波数判定部１４２は、音声センサ１１から取得した音声周波数を有効と判断した場合、音声周波数に対応する音声周波数データを払い出すように、音声周波数テーブル１４３に命令する。音声周波数テーブル１４３は、音声周波数判定部１４２から、音声周波数に対応する音声周波数データを送出するように命令を受けると、音声周波数に対応する音声周波数データを音声周波数データ処理部１４１に送出する。
【００７７】
（６）ステップＳ１０６
音声周波数データ処理部１４１は、音声周波数に対応する音声周波数データを端末データ処理部１７に送出する。
【００７８】
（７）ステップＳ１０７
反対に、音声周波数判定部１４２は、音声周波数を取得できない場合、或いは、音声周波数が一定（不変）の場合、及び、音声周波数が減少していると判断した場合、音声周波数データ処理部１４１に非該当信号を送出する。すなわち、音声周波数判定部１４２は、音声センサ１１から取得した音声周波数を無効と判断した場合、音声周波数データ処理部１４１に非該当信号を送出する。
【００７９】
（８）ステップＳ１０８
音声周波数データ処理部１４１は、非該当信号を受け取ると、端末データ処理部１７に音声周波数を送出しない。すなわち、音声周波数データ処理部１４１は、非該当信号を受け取ると、対外的には、端末データ処理部１７に対する音声周波数データの送出を制限する形になる。
【００８０】
図７を参照して、プロファイル管理部１６内での音声周波数とアラーム表示プロファイル、及びアラーム音声プロファイルのマッチングの動作について説明する。
【００８１】
（１）ステップＰ１０１
端末データ処理部１７は、初期状態にいる。このとき、端末データ処理部１７は、音声周波数をプロファイル管理データ処理部１６１に送出する。
【００８２】
（２）ステップＰ１０２
プロファイル管理データ処理部１６１は、音声周波数を受け取ると、受け取った音声周波数をプロファイル判定部１６２に送出する。
【００８３】
（３）ステップＰ１０３
プロファイル判定部１６２は、音声周波数を受け取ると、プロファイルテーブル１６３内のフィールドを参照する。
【００８４】
（４）ステップＰ１０４
ここで、プロファイル判定部１６２は、音声周波数がテーブル内の周波数帯域に該当するか判断する。すなわち、プロファイル判定部１６２は、音声周波数とテーブル内の周波数帯域とのマッチング（有無判定）を実施する。
【００８５】
（５）ステップＰ１０５
プロファイル判定部１６２は、音声周波数がテーブル内の周波数帯域に該当した場合、対応するアラーム表示プロファイル、及びアラーム音声プロファイルをプロファイル管理データ処理部１６１に送出する。すなわち、プロファイル判定部１６２は、入力された音声周波数に対応するプロファイルテーブル１６３内の音声周波数、アラーム表示プロファイル、及びアラーム音声プロファイルが存在した場合、対応するアラーム表示プロファイル、及びアラーム音声プロファイルをプロファイル管理データ処理部１６１に送出する。
【００８６】
（６）ステップＰ１０６
プロファイル管理データ処理部１６１は、対応するアラーム表示プロファイル、及びアラーム音声プロファイルを端末データ処理部１７に送出する。
（７）ステップＰ１０７
反対に、プロファイル判定部１６２は、音声周波数がテーブル内の周波数帯域に該当しなかった場合、プロファイル管理データ処理部１６１にプロファイル非該当信号を送出する。すなわち、プロファイル判定部１６２は、入力された音声周波数に対応するプロファイルテーブル１６３内の音声周波数、アラーム表示プロファイル、及びアラーム音声プロファイルが存在しない場合、プロファイル管理データ処理部１６１に対して、プロファイル非該当信号を送出する。
【００８７】
（８）ステップＰ１０８
プロファイル管理データ処理部１６１は、プロファイル非該当信号を受け取ると、対応するアラーム表示プロファイル、及びアラーム音声プロファイルが存在しないため、端末データ処理部１７にプロファイルを送出しない。すなわち、対外的には、プロファイル管理データ処理部１６１は、端末データ処理部１７に対するプロファイルの送出を制限する形になる。
【００８８】
本発明を利用することで、ユーザは、イヤホン等を使用中で、外部音響から遮断されている環境でも、自分に接近している危険物に対して早期に認知することができ、事故や事件を未然に防ぐことが可能になる。
【００８９】
以下に、本発明の第２実施形態について説明する。
本実施形態では、ユーザが、携帯端末１０と近距離通信可能な音楽プレーヤーでイヤホンをつけて音楽を視聴していた場合について説明する。
【００９０】
例えば、携帯端末１０がウェアラブル端末であるものとする。このとき、ユーザが携帯端末１０を衣服やカバンに取り付けておき、当該音楽プレーヤーで音楽を視聴していた場合に、接近してきた物体の音声周波数を携帯端末１０が感知し、アラーム音声を音楽プレーヤーに送る。ユーザは音楽プレーヤーのイヤホンからアラーム音声を聞き取ることができ危険物の接近を認知する。
【００９１】
図８は、本実施形態における携帯端末１０及び音楽プレーヤー２０の基本構成を示す。
【００９２】
携帯端末１０は、音声センサ１１と、センサ制御部１４と、プロファイル管理部１６と、端末データ処理部１７と、近距離通信部１９を備える。
【００９３】
また、音楽プレーヤー２０は、イヤホンレシーバ２３と、ユーザインタフェース部２５と、端末データ処理部２７と、端末音声制御部２８と、近距離通信部２９を備える。
【００９４】
なお、携帯端末１０及び音楽プレーヤー２０は、第１実施形態の携帯端末１０と同様の構成を有していても良い。すなわち、携帯端末１０及び音楽プレーヤー２０は、第１実施形態の携帯端末１０でも良い。例えば、第１実施形態の携帯端末１０は、近距離通信の機能を有していれば、本実施形態における携帯端末１０及び音楽プレーヤー２０として使用可能である。
【００９５】
音声センサ１１は、音響や音声を認識する音声感知センサ等の検波器である。音声センサ１１は、認識された物体の音声周波数をセンサ制御部１４に送出する。なお、音声センサ１１の代わりに、マイクや振動センサを用いることも考えられる。
【００９６】
センサ制御部１４は、音声センサ１１から受け取った物体の音声周波数を一定の時間サンプリングする。音声周波数が増加していく場合には、物体が接近していると判断し端末データ処理部１７に、音声周波数データを送出する。音声周波数が一定（不変）又は減少していく場合には、物体が静止しているか遠ざかっていると判断し、音声周波数データを廃棄する。また、音声周波数の増加量に応じてフィルタリングし接近する物体の速度に応じて周波数データを端末データ処理部１７に送出するか判断する。
【００９７】
プロファイル管理部１６には、音声周波数データに応じた物体のプロファイルが管理されている。例えば、プロファイル管理部１６は、自動車などのエンジン音や動物の鳴き声、靴音（足音）など、それぞれ物体が発する音声を周波数毎に管理し、物体の属性を紐付け（関連付け）している。プロファイル管理部１６は、端末データ処理部１７から、音声周波数データを受け取ると、音声周波数データに応じたアラーム表示プロファイル、及びアラーム音声プロファイルを端末データ処理部１７に送出する。
【００９８】
端末データ処理部１７は、センサ制御部１４から、音声周波数データを受け取ると、プロファイル管理部１６に送出する。また、プロファイル管理部１６からアラーム表示プロファイル、及びアラーム音声プロファイルを受け取ると、近距離通信部１９に送出する。
【００９９】
近距離通信部１９は、近距離通信の機能を有し、端末データ処理部１７から払い出されたアラーム表示プロファイル、及びアラーム音声プロファイルを、近距離通信回線を経由して外部に送出する。
【０１００】
近距離通信回線の例として、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、微弱無線、シリアル通信回線等が考えられる。但し、実際には、これらの例に限定されない。
【０１０１】
近距離通信部２９は、携帯端末１０から送出されたアラーム表示プロファイル、及びアラーム音声プロファイルを、近距離通信回線を経由して受け取る。また、受け取ったプロファイルを端末データ処理部２７に送出する。
【０１０２】
端末データ処理部２７は、近距離通信部から受け取ったアラーム表示プロファイル、及びアラーム音声プロファイルのうち、前者（アラーム表示プロファイル）をユーザインタフェース部２５に送出する。また、現在流れている音楽がある場合、停止するように端末音声制御部２８に命令し、後者（アラーム音声プロファイル）を端末音声制御部２８に送出する。更に、端末データ処理部２７は、端末音声制御部２８からアラーム音声を受け取ると、アラーム音声をユーザインタフェース部２５に送出する。
【０１０３】
端末音声制御部２８は、端末データ処理部２７から現在流れている音楽を停止するように指令を受けると、音楽をミュート（消音）にする。また、端末音声制御部２８は、端末データ処理部２７からアラーム音声プロファイルを受け取ると、対応した音声を鳴動させる。すなわち、端末音声制御部２８は、受け取ったアラーム音声プロファイルに対応したアラーム音声を、端末データ処理部２７に送出する。
【０１０４】
ユーザインタフェース部２５は、端末データ処理部２７からアラーム画面の情報を受け取ると、ディスプレイ２２上には「〜のようなものが接近してきています。注意しましょう。」という旨のメッセージを表示する。また、ユーザインタフェース部２５は、端末データ処理部２７からアラーム音声を受け取り、イヤホンレシーバ２３を介してイヤホンからアラーム音声を鳴動させる。
【０１０５】
図９Ａ、図９Ｂを参照して、ユーザが本実施形態の携帯端末１０を用いて音楽プレーヤー２０のイヤホンから物体のアラーム音声を視聴する際の動作の流れを説明する。
【０１０６】
まず、ユーザが音楽プレーヤーのイヤホンからアラーム音声を視聴する場合について説明する。
【０１０７】
（１）ステップＫ２０１
携帯端末１０は、初期状態にいる。ユーザは、携帯端末１０を衣服、若しくは、鞄に取り付けている。
【０１０８】
（２）ステップＫ２０２
携帯端末１０内の音声センサ１１は、物体が発する音声周波数を感知してセンサ制御部１４に送出する。
【０１０９】
（３）ステップＫ２０３
ここで、センサ制御部１４は、一定時間、音声周波数のサンプリング及びフィルタリングを実施する。
【０１１０】
（４）ステップＫ２０４
センサ制御部１４は、音声周波数が増加していると判断した場合、音声周波数に対応する音声周波数データを端末データ処理部１７に送出する。
【０１１１】
（５）ステップＫ２０５
次に、端末データ処理部１７は、音声周波数データをプロファイル管理部１６に送出する。
【０１１２】
（６）ステップＫ２０６
ここで、プロファイル管理部１６は、プロファイルテーブル１６３を参照し、入手した音声周波数データに該当するアラーム音声プロファイルがあるかどうか探索する。
【０１１３】
（７）ステップＫ２０７
プロファイル管理部１６は、プロファイルテーブル１６３内に、入手した音声周波数データに該当するアラーム音声プロファイルが存在する場合、対応するアラーム音声プロファイルを端末データ処理部１７に送出する。
【０１１４】
（８）ステップＫ２０８
端末データ処理部１７は、対応するアラーム音声プロファイルを近距離通信部１９に送出する。
【０１１５】
（９）ステップＫ２０９
近距離通信部１９は、近距離通信回線を経由して、携帯端末１０から外部に、対応するアラーム音声プロファイルを送出する。
【０１１６】
（１０）ステップＭ２０１
音楽プレーヤー２０内の近距離通信部２９は、近距離通信回線を経由して、近距離通信部１９が送出したアラーム音声プロファイルを受け取る。
【０１１７】
（１１）ステップＭ２０２
近距離通信部２９は、受け取ったアラーム音声プロファイルを端末データ処理部１７に送出する。
【０１１８】
（１２）ステップＭ２０３
端末データ処理部１７は、アラーム音声プロファイルを受け取ると、音楽の鳴動を停止するように端末音声制御部１８に命令する。
【０１１９】
（１３）ステップＭ２０４
端末音声制御部１８は、音声鳴動中止の信号を端末データ処理部１７から受け取ると、音楽の鳴動を停止する。
【０１２０】
（１４）ステップＭ２０５
端末データ処理部１７は、音楽の鳴動が停止されると、アラーム音声プロファイルを端末音声制御部１８に送出する。
【０１２１】
（１５）ステップＭ２０６
端末音声制御部１８は、アラーム音声プロファイルに応じてアラーム音声を鳴動させる。
【０１２２】
（１６）ステップＭ２０７
ユーザは、音楽プレーヤー２０のイヤホンからアラーム音声を視聴する。
【０１２３】
次に、音楽プレーヤーからアラーム音声が鳴動せず、ユーザが音楽を視聴し続ける場合について説明する。ここでは、以下のケース１とケース２に分けて説明する。
【０１２４】
＜ケース１＞
（１）ステップＫ２０１
携帯端末１０は、初期状態にいる。ユーザは、携帯端末１０を衣服、若しくは、鞄に取り付けている。
【０１２５】
（２）ステップＫ２０２
携帯端末１０内の音声センサ１１は、物体が発する音声周波数を感知してセンサ制御部１４に送出する。
【０１２６】
（３）ステップＫ２０３
ここで、センサ制御部１４は、一定時間、音声周波数のサンプリング及びフィルタリングを実施する。
【０１２７】
（４）ステップＫ２１０
センサ制御部１４は、音声周波数の未取得の場合、或いは、音声周波数が一定（不変）であると判断した場合、及び、音声周波数が減少していると判断した場合、音声周波数に対応する音声周波数データを端末データ処理部１７に送出しない。すなわち、センサ制御部１４は、音声周波数の未取得の場合、或いは、音声周波数が一定（不変）であると判断した場合、及び、音声周波数が減少していると判断した場合、対外的には、端末データ処理部１７に対する音声周波数データの送出を制限する形になる。
【０１２８】
（５）ステップＫ２１２
結果的に、ユーザは、アラーム音声を聴くことなく音楽を視聴し続ける。すなわち、音楽プレーヤー２０は、現状の動作を継続する。
【０１２９】
＜ケース２＞
（１）ステップＫ２０１
携帯端末１０は、初期状態にいる。ユーザは、携帯端末１０を衣服、若しくは、鞄に取り付けている。
【０１３０】
（２）ステップＫ２０２
携帯端末１０内の音声センサ１１は、物体が発する音声周波数を感知してセンサ制御部１４に送出する。
【０１３１】
（３）ステップＫ２０３
ここで、センサ制御部１４は、一定時間、音声周波数のサンプリング及びフィルタリングを実施する。
【０１３２】
（４）ステップＫ２０４
センサ制御部１４は、音声周波数が増加していると判断した場合、音声周波数に対応する音声周波数データを端末データ処理部１７に送出する。
【０１３３】
（５）ステップＫ２０５
次に、端末データ処理部１７は、音声周波数データをプロファイル管理部１６に送出する。
【０１３４】
（６）ステップＫ２０６
ここで、プロファイル管理部１６は、プロファイルテーブル１６３を参照し、入手した音声周波数データに該当するアラーム音声プロファイルがあるかどうか探索する。
【０１３５】
（７）ステップＫ２１１
プロファイル管理部１６は、プロファイルテーブル１６３内に、入手した音声周波数データに該当するプロファイル（アラーム表示プロファイル及びアラーム音声プロファイル）が存在しない場合、プロファイルを端末データ処理部１７に送出しない。すなわち、対外的には、プロファイル管理部１６は、端末データ処理部１７に対するプロファイルの送出を制限する形になる。
【０１３６】
（８）ステップＫ２１２
結果的に、ユーザは、アラーム音声を聴くことなく音楽を視聴し続ける。すなわち、音楽プレーヤー２０は、現状の動作を継続する。
【０１３７】
以下に、本発明の第３実施形態について説明する。
本実施形態では、音声の代わりに、物体が発する光（又は電磁波）の周波数を検知するようにする。すなわち、本発明では、音声に限らず、光（又は電磁波）など他の波動の周波数を検知するようにしても良い。なお、音声、光、及び電磁波の周波数を全て検知できるようにすると、より確実に、物体の接近を検知することができるようになるため、好適である。
【０１３８】
例えば、携帯端末１０は、物体が発する光（又は電磁波）の周波数を検知し、アラーム表示をユーザの携帯端末１０に表示し、音声を鳴動させる。
【０１３９】
このとき、携帯端末１０は、光（又は電磁波）センサを搭載している。この場合、前述の各実施形態（第１及び第２実施形態）において、「音声センサ１１」を「光（又は電磁波）センサ」と読み替え、「音声周波数」を「光（又は電磁波）の周波数」と読み替える。すなわち、音声センサ１１は、何らかの波動を検知する検波器である。
【０１４０】
以下に、本発明の第４実施形態について説明する。
本実施形態では、携帯端末１０が発する音や光（又は電磁波）の物体に対する反射周波数を検知するようにする。音声、光、及び電磁波の反射周波数とは、携帯端末１０が発した音、光、及び電磁波が、物体に反射して返ってきた際の周波数を示す。なお、音声、光、及び電磁波の反射周波数を全て検知できるようにすると、より確実に、物体の接近を検知することができるようになるため、好適である。
【０１４１】
例えば、携帯端末１０は、音声や光（又は電磁波）を発生させ、これらの音声や光（又は電磁波）が物体に反射して送られてくる周波数を検知し、アラーム表示をユーザの携帯端末１０に表示し、音声を鳴動させる。このとき、携帯端末１０は、音声や光（又は電磁波）を発生させる装置又は回路を搭載している。例えば、携帯端末１０は、スピーカーや照明機器、電磁波照射装置等を備える。この場合、前述の各実施形態（第１及び第２実施形態）において、「音声センサ１１」が、スピーカーや照明機器、電磁波照射装置等を含むものとしても良い。
【０１４２】
なお、携帯端末１０が音の反射周波数を検知する場合、前述の各実施形態（第１及び第２実施形態）において、「音声周波数」を「音の反射周波数」と読み替える。
【０１４３】
また、携帯端末１０が光（又は電磁波）の反射周波数を検知する場合、携帯端末１０は、光（又は電磁波）センサを搭載している。この場合、前述の各実施形態（第１及び第２実施形態）において、「音声センサ１１」を「光（又は電磁波）センサ」と読み替え、「音声周波数」を「光（又は電磁波）の反射周波数」と読み替える。
【０１４４】
以下に、本発明の第５実施形態について説明する。
本実施形態では、携帯端末１０は、イヤホンの接続、着信、音楽再生等を検知して、自動的に、本発明に係るアラーム通知機能を起動する。
【０１４５】
例えば、携帯端末１０は、ユーザがイヤホンを使用していない場合、前述の各実施形態の動作を行わないものとする。そして、携帯端末１０は、携帯端末１０自体へのイヤホンの接続、着信、音楽再生を検知した際、或いは音楽プレーヤー２０へのイヤホンの接続、音楽再生を検知した際に、自動的に、前述の各実施形態の動作を行うようにする。
【０１４６】
なお、イヤホンの接続については、イヤホンレシーバ１３やユーザインタフェース部１５（或いは、イヤホンレシーバ２３やユーザインタフェース部２５）が検知し、端末データ処理部１７に通知するものとする。また、音楽再生については、端末音声制御部１８（或いは、端末音声制御部２８）が検知し、端末データ処理部１７に通知するものとする。端末データ処理部１７は、イヤホンの接続や音楽再生を検知した旨の通知に応じて、自動的に、前述の各実施形態の動作を行う。
【０１４７】
或いは、携帯端末１０は、携帯端末１０自体へのイヤホンの接続、着信、音楽再生を検知した際、或いは音楽プレーヤー２０へのイヤホンの接続、音楽再生を検知した際に、自動的に、前述の各実施形態の動作を行うためのアプリケーションソフトウェアを起動するようにしても良い。
【０１４８】
なお、前述の各実施形態は、組み合わせて実施することも可能である。
【０１４９】
最後に、本発明の携帯端末の特徴的な機能（処理手段）について詳細に説明する。
【０１５０】
音声周波数データ処理手段は、音声センサから受け取った音声周波数を音声周波数判定手段に送出する。また、音声周波数データ処理手段は、音声周波数テーブルから払い出された音声周波数を端末データ処理手段に送出する。更に、音声周波数データ処理手段は、音声周波数判定手段から音声周波数非送出信号を受け取った場合、端末データ処理手段に何も送出しない。
【０１５１】
音声周波数判定手段は、音声周波数データ処理手段から一定時間の間、音声周波数をサンプリングする。音声周波数判定手段は、この周波数が増加している場合、ドップラー効果の原理により物体が接近していると判断し、公式に基づき、物体が発している音声周波数に対応する音声周波数データを払い出すように音声周波数テーブルに命令する。また、音声周波数判定手段は、サンプリングされた音声周波数が一定（不変）である場合、又は減少している場合、ドップラー効果の原理により、物体は静止している、又は遠ざかっていると判断し、音声周波数非送出信号を音声周波数データ処理手段に対して送出する。これは、遠ざかっていく物体は危険度が低く、ユーザに対して頻繁なアラーム通知の煩わしさを軽減する効果を有する。また、音声周波数判定手段は、サンプリング時間の調節や周波数帯域のフィルタリングをする機能も有しており、特定の音声を発生する物体だけを判定することも可能である。これにより、本当に危険な物体が接近してきた場合にだけアラームを出し、後は、快適に音楽を視聴するようなシステムを構築することが可能となる。
【０１５２】
音声周波数テーブルは、音声周波数判定手段から、音声周波数に対応する音声周波数データを送出するように命令を受けると、音声周波数に対応する音声周波数データを音声周波数データ処理手段に送出する。
【０１５３】
プロファイル管理データ処理手段は、端末データ処理手段から受け取った音声周波数データをプロファイル判定手段に送出する。また、プロファイル管理データ処理手段は、プロファイルテーブルから払い出されたプロファイルを端末データ処理手段に送出する。更に、プロファイル管理データ処理手段は、プロファイル判定手段から非該当信号を受け取った場合、端末データ処理手段に何も送出しない。
【０１５４】
プロファイル判定手段は、プロファイル管理データ処理手段から音声周波数データを受け取り、プロファイルテーブル内に、受け取った音声周波数データに該当するプロファイル（アラーム表示プロファイル及びアラーム音声プロファイル）がないか探索する。プロファイル判定手段は、該当するプロファイルがあった場合、該当するプロファイルを送出するようにプロファイルテーブルに対して命令する。プロファイル判定手段は、該当するプロファイルがない場合、非該当信号をプロファイル管理データ処理手段に送出する。
【０１５５】
プロファイルテーブルは、プロファイル判定手段から、該当するプロファイルを送出するように命令を受けると、該当するプロファイルをプロファイル管理データ処理手段に送出する。
【０１５６】
以上のように、本発明は、イヤホン使用時の接近物体感知システム及びアラーム（警報）システムに関する。
【０１５７】
本発明では、ユーザが携帯端末でイヤホンを使用していて外部の音が遮断されている環境で、音声を発している人や物体が接近してくると、携帯端末に内蔵している感知センサが音声周波数を検知する。
【０１５８】
このとき、携帯端末は、自動的にイヤホンで聞いている音声のボリューム（音量）を制御し、フェードアウトさせ（音量を徐々に下げ）、アラーム音声をユーザに対して送る。また、音声周波数の違いでどのような物体が接近してきているのか判定し、携帯端末の画面上にアラームを通知する。
【０１５９】
また、本発明では、携帯端末に、ドップラー効果の原理を用いて周波数の変化を検知する部位を設け、音声周波数が増加する物体にだけアラームを出すようにしている。通常、音声を発信する物体が接近する場合は、音声周波数が増加し、物体が遠ざかる場合は、音声周波数が低下するという特徴がある。
【０１６０】
本発明を利用すれば、物体の音声を検知する度にアラームが出続けてしまうような状況をなくすことができ、より効果的に物体に対してのアラーム通知を行うことができる。
【０１６１】
更に、検知する周波数範囲毎に音声を発する物体をカテゴライズ（分類）したデータベースを持ち、その物体の情報をユーザに対して提供する。例えば「車らしき物体が接近してきています。」などと音声とディスプレイ１２の画面上の表示で通知する。
【０１６２】
本発明は、データ処理機能と通信機能を持つ携帯電話機、或いは、携帯型情報通信機器一般に適用することが可能である。
【０１６３】
以上、本発明の実施形態を詳述してきたが、実際には、上記の実施形態に限られるものではなく、本発明の要旨を逸脱しない範囲の変更があっても本発明に含まれる。
【図面の簡単な説明】
【０１６４】
【図１】図１は、本発明の携帯端末の基本構成を示すブロック図である。
【図２】図２は、センサ制御部の基本構成を示すブロック図である。
【図３】図３は、プロファイル管理部の基本構成を示すブロック図である。
【図４】図４は、プロファイルテーブルの構成例を示す図である。
【図５Ａ】図５Ａは、ユーザが携帯端末を用いてイヤホン及びディスプレイ上から物体に対するアラーム通知を受け取る際の動作を示すフローチャートである。
【図５Ｂ】図５Ｂは、ユーザが携帯端末を用いてイヤホン及びディスプレイ上から物体に対するアラーム通知を受け取る際の動作を示すフローチャートである。
【図６】図６は、センサ制御部内での音声周波数判定の動作を示すフローチャートである。
【図７】図７は、プロファイル管理部内での音声周波数とアラーム表示プロファイル、及びアラーム音声プロファイルのマッチングの動作を示すフローチャートである。
【図８】図８は、本発明の携帯端末及び音楽プレーヤーの基本構成を示すブロック図である。
【図９Ａ】図９Ａは、ユーザが携帯端末を用いて音楽プレーヤーのイヤホンから物体のアラーム音声を視聴する際の動作を示すフローチャートである。
【図９Ｂ】図９Ｂは、ユーザが携帯端末を用いて音楽プレーヤーのイヤホンから物体のアラーム音声を視聴する際の動作を示すフローチャートである。
【符号の説明】
【０１６５】
１０…携帯端末
１１…音声センサ
１２…ディスプレイ
１３…イヤホンレシーバ
１４…センサ制御部
１５…ユーザインタフェース部
１６…プロファイル管理部
１７…端末データ処理部
１８…端末音声制御部
１９…近距離通信部
２０…音楽プレーヤー
２３…イヤホンレシーバ
２５…ユーザインタフェース部
２７…端末データ処理部
２８…端末音声制御部
２９…近距離通信部
【図１】
2010128789.tif 000003
【図２】
2010128789.tif 000004
【図３】
2010128789.tif 000005
【図４】
2010128789.tif 000006
【図５Ａ】
2010128789.tif 000007
【図５Ｂ】
2010128789.tif 000008
【図６】
2010128789.tif 000009
【図７】
2010128789.tif 000010
【図８】
2010128789.tif 000011
【図９Ａ】
2010128789.tif 000012
【図９Ｂ】
2010128789.tif 000013